(57)【要約】【課題】本発明は、サウナ装置と、それを用いたサウナ室に関するもので、既設住宅に、サウナ装置を簡単に装着できるようにすることを目的とするものである。【解決手段】そして、この目的を達成するために本発明は、サウナ筐体１の天井７上面に配置されるレール１０と、このレール１０に可動自在に支持されるサウナ機器１１とを備え、前記サウナ機器１１は、温水、あるいは蒸気の噴出手段１２ａと、この噴出手段１２ａの下方に配置した噴出口カバー１３とを有する構成とした。【選択図】図１
2011239908.tif 000002
【特許請求の範囲】
【請求項１】
サウナ筐体の天井上面に配置されるレールと、このレールに可動自在に支持されるサウナ機器とを備え、前記サウナ機器は、温水、あるいは蒸気の噴出手段と、この噴出手段の下方に配置した噴出口カバーとを有するサウナ装置。
【請求項２】
レールは、所定間隔をおいて略平行状態に配置された少なくとも２本のレールを有し、サウナ機器は、これら２本のレール上に、可動自在に配置される請求項１に記載のサウナ装置。
【請求項３】
２本のレール間の一端側と、他端側に、これら２本のレールの結合体を設けた請求項２に記載のサウナ装置。
【請求項４】
レールは、伸縮自在とした請求項１〜３のいずれか一つに記載のサウナ装置。
【請求項５】
レールは、複数のレールを結合した構成とした請求項１〜３のいずれか一つに記載のサウナ装置。
【請求項６】
２本のレール間の一端側の幅と、他端側の幅は、点検口の幅よりも小さくした請求項３〜５のいずれか一つに記載のサウナ装置。
【請求項７】
サウナ機器は、レール上を転動するローラを有する請求項１〜６のいずれか一つに記載のサウナ装置。
【請求項８】
サウナ機器は、四角枠状の架台と、この架台を構成するレール側辺の外側に設けたローラと、このレール側辺の内側に設けた脱輪防止カバーとを有し、前記脱輪防止カバーは、ローラをレール上に配置した後に、外側に回動される構成とした請求項７に記載のサウナ装置。
【請求項９】
架台には、レールへの仮固定手段を設けた請求項８に記載のサウナ装置。
【請求項１０】
仮固定手段は、架台とレールに設けた孔にねじを螺合させる構成とした請求項９に記載のサウナ装置。
【請求項１１】
レールの両端には、サウナ筐体に係合する係合部を設けた請求項１から１０のいずれか一つに記載のサウナ装置。
【請求項１２】
レールの両端に設けた係合部は、サウナ筐体の側面上方に引掛けた引掛り部により形成した請求項１１に記載のサウナ装置。
【請求項１３】
噴出口カバーの外周面には、サウナ筐体の天井面に当接するパッキンを設けた請求項１から１２のいずれか一つに記載のサウナ装置。
【請求項１４】
サウナ機器は、給水ホースを有し、この給水ホースの先端には、給水結合手段を設けた請求項１から１３のいずれか一つに記載のサウナ装置。
【請求項１５】
サウナ機器の給水結合手段は、噴出口カバー外に設けた請求項１から１４のいずれか一つに記載のサウナ装置。
【請求項１６】
天井に点検口を有するサウナ筐体と、このサウナ筐体の天井部に取り付けた請求項１から１５のいずれか一つに記載のサウナ装置とを備えたサウナ室。
【請求項１７】
天井に点検口を有するサウナ筐体と、このサウナ筐体の天井上面に取り付けた請求項１から１５のいずれか一つに記載のサウナ装置とを備えたサウナ室。
【請求項１８】
天井に点検口を有するサウナ筐体と、このサウナ筐体の天井部に取り付けた請求項１４に記載のサウナ装置とを備え、サウナ装置の給水ホースの先端に設けた給水結合手段は、前記点検口の、サウナ筐体内側において、給水手段と結合したサウナ室。
【請求項１９】
天井に点検口を有するサウナ筐体と、このサウナ筐体の天井部に取り付けた請求項１５に記載のサウナ装置とを備え、サウナ装置の給水ホースの先端に設けた給水結合手段は、前記点検口の、サウナ筐体内側において、給水手段と結合したサウナ室。
【請求項２０】
サウナ筐体内側の給水手段は、給水栓から分岐したものである請求項１９に記載のサウナ装置。
【発明の詳細な説明】
【技術分野】
【０００１】
本発明は、サウナ装置と、それを用いたサウナ室に関するものである。
【背景技術】
【０００２】
サウナ室は、サウナ筐体の天井上面に、サウナ装置を設置することで構成されている。
また、前記サウナ装置は、温水、あるいは蒸気の噴出手段と、この噴出手段の下方に配置した噴出口カバーとを有し、前記噴出口カバーを介して、噴出手段からの温水、あるいは蒸気をサウナ筐体内に噴出させる構成となっている（例えば下記特許文献１）。
【先行技術文献】
【特許文献】
【０００３】
【特許文献１】特開平７−１７１２９９号公報
【発明の概要】
【発明が解決しようとする課題】
【０００４】
前記従来例における課題は、既設住宅には、サウナ装置を簡単には設置することができないと言うことであった。
【０００５】
すなわち、サウナ室は浴室と兼用されることが多く、既設住宅における浴室をサウナ室に変更するためには、その浴室の天井上面に、サウナ装置を設置しなければならない。
【０００６】
しかしながら、近年の浴室は、バスユニットとして売り出され、このバスユニットでは天井も一体化されたユニット構成となっている。
【０００７】
したがって、サウナ装置を、既設住宅のバスユニットの天井上面に設置するためには、このバスユニットの天井を切り離さねばならない。
【０００８】
しかし、一度、切り離した天井を再度バスユニットに一体化することは非常に難しく、また例えこの一体化を行ったとしても、その結合部分が、極めて目立つ状態で、浴室内に露出する状態となるので、バスユニットとしての美観を大幅に低下させてしてしまう。
【０００９】
このため、現実的には、このようにしてまで既設住宅に、サウナ装置を設置することはあまり行われていない。
【００１０】
そこで、本発明は、既設住宅に、サウナ装置を簡単に装着できるようにすることを目的とするものである。
【課題を解決するための手段】
【００１１】
そして、この目的を達成するために本発明のサウナ装置は、サウナ筐体の天井上面に配置されるレールと、このレールに可動自在に支持されるサウナ機器とを備え、前記サウナ機器は、温水、あるいは蒸気の噴出手段と、この噴出手段の下方に配置した噴出口カバーとを有する構成とし、これにより所期の目的を達成するものである。
【発明の効果】
【００１２】
以上のように本発明のサウナ装置は、サウナ筐体の天井上面に配置されるレールと、このレールに可動自在に配置されるサウナ機器とを備え、前記サウナ機器は、温水、あるいは蒸気の噴出手段と、この噴出手段の下方に配置した噴出口カバーとを有する構成としたものであるので、既設住宅に、サウナ機器を簡単に設置できるようになる。
【００１３】
すなわち、本発明のサウナ装置は、そのサウナ機器を、サウナ筐体の天井上面に配置したレールに可動自在に支持させる構成としている。
【００１４】
このため、サウナ筐体の天井面に設置されている既設の点検口から、このレールさえ天井上面に押し込めば、後はこの点検口からサウナ機器を天井上面に押し込み、前記レールに対してサウナ機器を可動自在に支持させれば、サウナ筐体の天井上面に、サウナ装置を簡単に設置することができる。
【００１５】
また、点検口の本来目的である点検を行う時には、サウナ機器をレール上で可動させれば、サウナ機器を点検口外へ移動することができるので、この点検も簡単に行うことができる。
【００１６】
また、点検口はバスユニットの洗い場側に設けることが多く、サウナ浴を行う場所も前記洗い場側で浴びることが位置的に多い。このためサウナ装置から吹き出す向きを変えることにより浴室洗い場のみをサウナ空間とすることができるので、少ない投入熱量でサウナ浴を実現することができる。
【図面の簡単な説明】
【００１７】
【図１】本発明の実施の形態１にかかるサウナ装置を設置したサウナ室を示す透視斜視図
【図２】同要部の斜視図
【図３】同要部の透視正面図
【図４】同レールの分解斜視図
【図５】同設置方法を示す斜視図
【図６】同設置方法を示す斜視図
【図７】本発明の実施の形態２にかかるサウナ装置を設置したサウナ室を示す透視斜視図
【図８】同要部の透視正面図
【図９】同レールの分解斜視図
【図１０】同要部の斜視図
【図１１】同架台の斜視図
【図１２】同設置方法を示す斜視図
【図１３】同設置方法を示す斜視図
【図１４】同設置方法を示す斜視図
【図１５】同設置方法を示す断面図
【図１６】同設置方法を示す断面図
【図１７】同設置方法を示す断面図
【発明を実施するための形態】
【００１８】
以下、本発明の一実施形態のサウナ室を、添付図面を用いて説明する。
【００１９】
（実施の形態１）
図１は本発明の実施の形態１を示し、サウナ室を構成するサウナ筐体１は、バスユニットとして既に、住宅に設置されたものである。
【００２０】
すなわち、このサウナ筐体１は立方体形状をしており、内部には浴槽２と、シャワー３、蛇口４、給水栓５が設けられ、また前面側にはドア６が開閉自在に設けられている。
【００２１】
バスユニット化されているサウナ筐体１の天井７には、図２に示すように矩形状の点検口８が設けられており、この点検口８は、通常は蓋（図示せず）で開閉自在に覆われているが、本実施形態では、この蓋を取り除き、この点検口８を利用して天井７部分に、サウナ装置９を設置している。
【００２２】
具体的には、本実施形態のサウナ装置９は、サウナ筐体１の天井７上面に、略平行に配置された２本のレール１０と、これら２本のレール１０上に可動自在に支持されたサウナ機器１１とから構成されている。
【００２３】
また、前記サウナ機器１１は、図３に示すように、立方体形状の本体ケース１２と、この本体ケース１２内に設けられた温水、あるいは蒸気の噴出手段１２ａと、この噴出手段１２ａの下方に配置した噴出口カバー１３とを有する。
【００２４】
以上の構成において、サウナ筐体１の天井７部分への、サウナ装置９設置方法について説明する。
【００２５】
この設置については先ず、上述のごとく、サウナ筐体１の天井７部分に設けられている点検口８の蓋（図示せず）を外す（なお、この取り外した蓋は、例えば天井７の上面に退けておく）。
【００２６】
次に、点検口８からサウナ筐体１の天井７上面側に、レール１０を挿入する。
【００２７】
この時、レール１０は、図４に示すように左右のレール１０ａ、１０ｂに分離されているので、それぞれを点検口８からサウナ筐体１の天井７上面側に挿入し（押し出す）、次に図５に示すごとく各レール１０ａ、１０ｂの外端側の引掛り部１０ｃを、サウナ筐体１の側面１ａ上方に引掛けた状態とする。
【００２８】
そして、この状態で、図４に示すように、ネジ１４を、レール１０ｂのネジ孔１０ｄに螺号させ、これによりレール１０ａ、１０ｂを一体化するとともに、図５に示すように２本のレール１０をサウナ筐体１の天井７上面に、平行に配置する。
【００２９】
この状態で、これら２本のレール１０間の一端側（図２のごとく点検口８から遠方側）には、これら２本のレール１０を結合する結合体１５ａを設ける。
【００３０】
そして、この状態で、図６のごとく、２本のレール１０間の他端側（図６のごとく点検口８側）を外方に広げ、点検口８の外側にレール１０が位置する状態とする。なお、このように２本のレール１０間の他端側（図６のごとく点検口８側）を外方に広げることができるように、上述した各レール１０ａ、１０ｂの外端側の引掛り部１０ｃを、サウナ筐体１の側面１ａ上方に引掛ける時には、これらの引掛り部１０ｃと、側面１ａ間には隙間（図示せず）を設けるようにしている。
【００３１】
さてこのように、２本のレール１０間の他端側（図６のごとく点検口８側）を外方に広げ、点検口８の外側にレール１０が位置する状態とした後、サウナ筐体１内から、点検口８を介して、サウナ機器１１の本体ケース１２を、サウナ筐体１の天井７上面側に押し上げる。勿論このように、点検口８から、本体ケース１２を天井７上面側に押し上げるためには、本体ケース１２は、点検口８よりも水平面の大きさを小さくしている。
【００３２】
次に、この図６に示すように、２本のレール１０間の一端側（結合体１５ａ側）において、サウナ機器１１の本体ケース１２下面側に設けたローラ１６を、レール１０上に載せる。
【００３３】
次に、レール１０間の他端側（図６のごとく点検口８側）も、図２のごとく結合体１５ｂで結合し、これによりサウナ筐体１の天井７上面側において、２本のレール１０を平行に配置すると共に、この平行配置された２本のレール１０上にサウナ機器１１の本体ケース１２を、ローラ１６で可動自在に配置する。
【００３４】
なお、この状態において、サウナ機器１１の本体ケース１２下面側には、２本のレール１０内面側に沿うように、レール外れ防止部１７が設けられているので、２本のレール１０上を、サウナ機器１１の本体ケース１２が可動する時に、この本体ケース１２がレール１０上から脱落することはない。
【００３５】
さてこのように、サウナ筐体１の天井７上面側に、サウナ機器１１の本体ケース１２が配置された後には、この天井７上面側において電気的接続（図示せず）を行い、次にサウナ機器１１の本体ケース１２内から、サウナ機器１１の給水ホース１８の先端に設けた給水結合手段１９を、前記点検口８から、サウナ筐体１内側に降ろす。
【００３６】
そして、噴出口カバー１３外側の、サウナ筐体１内側において、サウナ機器１１の給水結合手段１９と、給水ホース２０の給水結合手段２１を結合する。
【００３７】
給水ホース２０は図１のごとく給水栓５から分岐したもので、この給水栓５からは、給水ホース２０、１８を介して水、または温水が噴出手段１２ａに供給され、この噴出手段１２ａにより、加熱、微細化が行われる。
【００３８】
そして、このようにして噴出手段１２ａで発生した温水、あるいは蒸気が、噴出口カバー１３を介してサウナ筐体１内に供給され、これによりサウナ筐体１内で、サウナを体感することができる。
【００３９】
なお、噴出口カバー１３は、図３に示すようにサウナ機器１１の本体ケース１２に対して上下動自在に取り付けられるようになっており、これにより噴出口カバー１３がサウナ筐体１の天井７面にフィットし、美観の高い状態で取り付けられるようになっている。
【００４０】
また、この図３に示すように、点検口８上にサウナ機器１１が存在する状態では、点検口８の上面は、サウナ機器１１の本体ケース１２で覆われた状態となっているので、点検口８から温水、あるいは蒸気がサウナ筐体１外へと漏れることはない。
【００４１】
さて、サウナ筐体１の天井７上面側において、このサウナ装置９や、他の設備の点検をする時には、先ずサウナ機器１１の給水結合手段１９と、給水ホース２０の給水結合手段２１との結合を解除し、次に噴出口カバー１３を本体ケース１２から取り外し、その後、サウナ機器１１の本体ケース１２をローラ１６転動により、図６に示す方向に移動させ、これにより点検口８を露出させる。
【００４２】
その結果、点検口８からサウナ筐体１外に顔を突き出し、これにて適宜の点検を行う。
【００４３】
また、この点検後は、上記組み立て時と同じように、ローラ１６転動により点検口８部分にサウナ機器１１を移動させ、次にこのサウナ機器１１の給水結合手段１９を、前記点検口８から、サウナ筐体１内側に降ろす。
【００４４】
そして、サウナ筐体１内側において、サウナ機器１１の給水結合手段１９と、給水ホース２０の給水結合手段２１を結合し、次に噴出口カバー１３をサウナ機器１１の本体ケース１２に装着する。
【００４５】
なお、上述した実施形態では、複数のレール１０ａ、１０ｂを結合してレール１０を構成したが、レール１０は、伸縮自在としても良い。つまり、レール１０を点検口８からサウナ筐体１上に挿入する時には収縮させ、その後サウナ筐体１上で伸ばすようにしても良い。
【００４６】
（実施の形態２）
図７は本発明の実施形態２を示し、サウナ室を構成するサウナ筐体２２は、バスユニットとして既に、住宅に設置されたものである。
【００４７】
すなわち、このサウナ筐体２２は立方体形状をしており、内部には浴槽２３と、シャワー２４、蛇口２５、給水栓２６が設けられ、また前面側にはドア２７が開閉自在に設けられている。
【００４８】
バスユニット化されているサウナ筐体２２の天井２８には、図１０に示すように矩形状の点検口２９が設けられており、この点検口２９は、通常は蓋（図示せず）で開閉自在に覆われているが、本実施形態では、この蓋を取り除き、この点検口２９を利用して天井２８部分に、図７のごとく、サウナ装置３０を設置している。
【００４９】
具体的には、本実施形態のサウナ装置３０は、図７のごとく、サウナ筐体２２の天井２８上面に、略平行に配置された２本のレール３１と、これら２本のレール３１上に可動自在に支持されたサウナ機器３２とから構成されている。
【００５０】
また、前記サウナ機器３２は、図８に示すように、立方体形状の本体ケース３３と、この本体ケース３３内に設けられた温水、あるいは蒸気の噴出手段３３ａと、この噴出手段３３ａの下方に配置した噴出口カバー３４とを有する。
【００５１】
以上の構成において、サウナ筐体２２の天井２８部分への、サウナ装置３０の設置方法について説明する。
【００５２】
この設置については、先ず、上述のごとく、サウナ筐体２２の天井２８部分に設けられている点検口２９の蓋（図示せず）を外す（なお、この取り外した蓋は、例えば天井２８の上面に退けておく）。
【００５３】
次に、点検口２９からサウナ筐体２２の天井２８上面側に、レール３１を配置することになる。
【００５４】
このレール３１の配置については、先ず、図９に示すように左右のレール３１ａ、３１ｂの先端側間に桟３１ｃをねじ３１ｄで結合し、コの字状とする。
【００５５】
次に、図１０のごとく、点検口２９から上記コの字状となった左右のレール３１ａ、３１ｂ、桟３１ｃを天井２８上面側へと押し込み、各レール３１ａ、３１ｂの先端側の引掛り部（係合部の一例）３１Ａを、サウナ筐体２２の側面２２ａ上方に引掛けた状態とする。
【００５６】
この時、桟３１ｃで結合した左右のレール３１ａ、３１ｂの外側幅（図１０のＡ）は３８０ｍｍと、点検口２９の横幅（図１０のＢ）である４５０ｍｍよりも狭くしているので、図１０のごとく、桟３１ｃで結合した左右のレール３１ａ、３１ｂを、点検口２９から天井２８上面側へと簡単に押し出すことができる。
【００５７】
次に、図１１に示した四角枠状の架台３５を、図１２のごとく左右のレール３１ａ、３１ｂ上に配置する。
【００５８】
前記架台３５は、サウナ機器３２を左右のレール３１ａ、３１ｂ上に可動自在に配置するためのものであり、下方には四角枠を構成するための枠３５ａ〜３５ｄが設けられている。
【００５９】
このうち、枠３５ａ、３５ｃは左右のレール３１ａ、３１ｂに直交状態のもの、枠３５ｂ、３５ｄは左右のレール３１ａ、３１ｂに平行状態のものである。
【００６０】
また、枠３５ｂ、３５ｄの外側には、左右のレール３１ａ、３１ｂに平行状態で垂直壁３５ｅ、３５ｆを設けており、さらにこれらの垂直壁３５ｅ、３５ｆにはそれぞれ外方への水平壁３５ｇ、３５ｈを設けている。
【００６１】
そして、水平壁３５ｇ、３５ｈの下方には、それぞれ複数のローラ３５ｉが配置されており、このローラ３５ｉが左右のレール３１ａ、３１ｂ上に乗った状態となっている。
また、このように、左右のレール３１ａ、３１ｂ上にローラ３５ｉが乗った状態となると、垂直壁３５ｅ、３５ｆの上端に設けた脱輪防止カバー３５ｊ、３５ｋを外側に回動させ（後述する図１３に現れている）、これによりローラ３５ｉの内外を、垂直壁３５ｅ、脱輪防止カバー３５ｊ、および垂直壁３５ｆ、脱輪防止カバー３５ｋで覆い、これによりローラ３５ｉの脱輪を防止する。
【００６２】
その後、図１３のごとく、左右のレール３１ｈ、３１ｅの後端側間に、桟３１ｆをねじ３１ｇで、コの字状に結合したものを、点検口２９から天井２８上面側へと押し出す。
【００６３】
なお、桟３１ｃで結合した左右のレール３１ｈ、３１ｅの外側幅も、点検口２９の横幅よりも狭くしているので、図１３のごとく、桟３１ｆで結合した左右のレール３１ｈ、３１ｅを、点検口２９から天井２８上面側へと簡単に押し出すことができる。
【００６４】
この図１３の状態では、左右のレール３１ａ、３１ｅの内方（桟３１ｃ、３１ｆとは反対側）は重合状態となっており、また左右のレール３１ｂ、３１ｈの内方（桟３１ｃ、３１ｆとは反対側）も重合状態となっているので、その状態で、それぞれの重合部分に、左右のレール３１ａ、３１ｂの間から、皿ねじ３６を螺合させ、一体化させる。
【００６５】
なお、この状態では、各レール３１ｈ、３１ｅの後端側の引掛り部（係合部の一例）３１Ｂは、サウナ筐体２２の側面２２ｂ上方に引掛けた状態としている。
【００６６】
次に、図１４のごとく、架台３５を、点検口２９に合致する部分まで、レール３１ａ、３１ｂ、３１ｈ、３１ｅ上を、ローラ３５ｉを回転させて、移動させる。
【００６７】
そしてこの状態で、架台３５の垂直壁３５ｅ、３５ｆの下部に図１１のごとく設けた長穴３５ｍにレール３１ｈ、３１ｅ間側から、仮固定用のねじ３７をレール３１ｈ、３１ｅに設けたねじ孔３８に向けて螺合させる。
【００６８】
つまり、架台３５を、レール３１ｈ、３１ｅに仮固定する。
【００６９】
そして、この後、図１１に示した架台３５の枠３５ａ〜３５ｄ内の開口部から、サウナ機器３２の本体ケース３３を上方に持ち上げ、この本体ケース３３の下方に設けた係合片と、前記架台３５の枠３５ａ〜３５ｄに設けた係合片３９を重合させ、ここでねじ止め（図示せず）する。
【００７０】
これにより、架台３５上にサウナ機器３２の本体ケース３３が固定されて状態となる。
【００７１】
その後、図１５に示した仮固定用のねじ３７を外せば、レール３１ａ、３１ｂ、３１ｈ、３１ｅ上をサウナ機器３２の本体ケース３３がローラ３５ｉの回転により自由に移動できる状態となる。
【００７２】
そこで、このサウナ機器３２の本体ケース３３を点検口２９外へと移動させ、その状態で天井２８上において本体ケース３３に対する電源接続（図示せず）を行う。
【００７３】
さてこのように、サウナ筐体２２の天井２８上面側に、サウナ機器３２の本体ケース３３を配置し、この天井２８上面側において電気的接続（図示せず）を行った後には、図８のごとく、本体ケース３３を点検口２９に移動させ、次に本体ケース３３内から、サウナ機器３２の給水ホース３９の先端に設けた給水結合手段４０を、前記点検口２９から、サウナ筐体２２内側に降ろす。
【００７４】
そして、噴出口カバー３４外で、サウナ筐体２２内側において、サウナ機器３２の給水結合手段４０と、給水ホース４１の給水結合手段４２を結合する。
【００７５】
給水ホース４１は図７のごとく給水栓２６から分岐したもので、この給水栓２６からは、給水ホース４１、３９を介して水、または温水が噴出手段３３ａに供給され、この噴出手段３３ａにより、加熱、微細化が行われる。
【００７６】
そして、このようにして噴出手段３３ａで発生した温水、あるいは蒸気が、噴出口カバー３４を介してサウナ筐体２２内に供給され、これによりサウナ筐体２２内で、サウナを体感することができる。
【００７７】
なお、噴出口カバー３４は、図１６に示すようにサウナ機器３２の本体ケース３３に対して上下動自在に取り付けられるようになっており、これにより噴出口カバー３４がサウナ筐体２２の天井２８面にフィットし、美観の高い状態で取り付けられるようになっている。
【００７８】
また、噴出口カバー３４の外周面には、図１７に示すようにパッキン４３が設けられており、このパッキン４３を天井２８と、噴出口カバー３４の外周面とで挟むことで、水密性を高めている。
【００７９】
さらに、これに加えて、この図１６に示すように、点検口２９上にサウナ機器３２が存在する状態では、点検口２９の上面は、サウナ機器３２の本体ケース３３で覆われた状態となっているので、点検口２９から温水、あるいは蒸気がサウナ筐体２２外へと漏れることはない。
【００８０】
さて、サウナ筐体２２の天井２８上面側において、このサウナ装置３０や、他の設備の点検をする時には、先ずサウナ機器３２の給水結合手段４０と、給水ホース４１の給水結合手段４２との結合を解除し、次に噴出口カバー３４を本体ケース３３から取り外し、その後、サウナ機器３２の本体ケース３３をローラ３５ｉの転動により、点検口２９外へと移動させ、点検口２９を露出させる。
【００８１】
その結果、点検口２９からサウナ筐体２２外に顔を突き出し、これにて適宜の点検を行うことができる。
【００８２】
また、この点検後は、上記組み立て時と同じように、ローラ３５ｉの転動により点検口２９部分にサウナ機器３２を移動させ、次にこのサウナ機器３２の給水結合手段４０を、前記点検口２９から、サウナ筐体２２内側に降ろす。
【００８３】
そして、サウナ筐体２２内側において、サウナ機器３２の給水結合手段４０と、給水ホース４１の給水結合手段４２を結合し、次に噴出口カバー３４をサウナ機器３２の本体ケース３３に装着する。
【産業上の利用可能性】
【００８４】
以上のように本発明のサウナ装置は、サウナ筐体の天井上面に配置されるレールと、このレールに可動自在に配置されるサウナ機器とを備え、前記サウナ機器は、温水、あるいは蒸気の噴出手段と、この噴出手段の下方に配置した噴出口カバーとを有する構成としたものであるので、既設住宅に、サウナ機器を簡単に設置できるようになる。
【００８５】
すなわち、本発明のサウナ装置は、そのサウナ機器を、サウナ筐体の天井上面に配置したレールに可動自在に支持する構成としている。
【００８６】
このため、サウナ筐体の天井面に設置されている既設の点検口から、このレールさえ天井上面に押し込めば、後はこの点検口からサウナ機器を天井上面に押し込み、前記レールに対してサウナ機器を可動自在に支持させれば、サウナ筐体の天井上面に、サウナ装置を簡単に設置することができる。
【００８７】
また、点検口の本来目的である点検を行う時には、サウナ機器をレール上で可動させれば、サウナ機器を点検口外へ移動することができるので、この点検も簡単に行うことができる。
【００８８】
このため、既設の住宅の住民もサウナを簡単に楽しめるものとなる。
【符号の説明】
【００８９】
１      サウナ筐体
２      浴槽
３      シャワー
４      蛇口
５      給水栓
６      ドア
７      天井
８      点検口
９      サウナ装置
１０、１０ａ、１０ｂ  レール
１１    サウナ機器
１２    本体ケース
１２ａ  噴出手段
１３    噴出口カバー
１４    ネジ
１５ａ、１５ｂ  結合体
１６    ローラ
１７    レール外れ防止部
１８    給水ホース
１９    給水結合手段
２０    給水ホース
２１    給水結合手段
２２    サウナ筐体
２３    浴槽
２４    シャワー
２５    蛇口
２６    給水栓
２７    ドア
２８    天井
２９    点検口
３０    サウナ装置
３１    レール
３１Ａ，３１Ｂ  引掛り部
３１ａ，３１ｂ，３１ｈ，３１ｅ  レール
３２    サウナ機器
３３    本体ケース
３３ａ  噴出手段
３４    噴出口カバー
３５    架台
３５ｉ  ローラ
３５ｊ、３５ｋ  脱輪防止カバー
３７    ねじ
４３    パッキン
【図１】
2011239908.tif 000003
【図２】
2011239908.tif 000004
【図３】
2011239908.tif 000005
【図４】
2011239908.tif 000006
【図５】
2011239908.tif 000007
【図６】
2011239908.tif 000008
【図７】
2011239908.tif 000009
【図８】
2011239908.tif 000010
【図９】
2011239908.tif 000011
【図１０】
2011239908.tif 000012
【図１１】
2011239908.tif 000013
【図１２】
2011239908.tif 000014
【図１３】
2011239908.tif 000015
【図１４】
2011239908.tif 000016
【図１５】
2011239908.tif 000017
【図１６】
2011239908.tif 000018
【図１７】
2011239908.tif 000019